(57)【要約】【課題】底板自体を大型にすることなく、大容量の大型の飲料容器を安定して保持でき、アームを搖動させて折り畳んだときに保持部材がつかえて邪魔になることがなくコンパクトにできるようにする。【解決手段】一対のアーム４ａ，４ｂの後端間に底板６を橋架し、底板６よりも大面積の保持部材８の後端の左右を、両アーム４ａ，４ｂそれぞれの後端に回転自在に枢支して保持部材８の下面が底板６の上面に当接可能に保持部材８を配設する。そのため、底板６は保持部材８の回転を規制できればよいことから、底板６自体を大型にしなくても、大容量の大型の飲料容器を保持部材８により安定して保持することが可能になり、アーム４ａ，４ｂを搖動させて折り畳んだときに保持部材８がつかえて邪魔になることがない。【選択図】図４
2017105302.tif 000002
【特許請求の範囲】
【請求項１】
飲料容器を挿入する開口が形成されたホルダープレートと、
前記ホルダープレートの下面に前端が揺動自在に枢支されて折り畳み可能に取り付けられた一対のアームと、
前記両アームの後端間に橋架され前記飲料容器を前記開口に挿入したときに前記両アームの後端が下方に揺動することにより前記開口の下方に位置して前記飲料容器の底面に当接し前記飲料容器を下から保持する底板と、
前端部が可動し前記底板の上面側に配設された保持部材とを備え、
前記両アームの後端が下方に揺動したときに、前記保持部材の前端部が下方に可動して前記保持部材の下面が前記底板の上面に当接し、前記開口に挿入された前記飲料容器の底面を前記底板のみで保持する場合よりも広い面積にわたって前記保持部材により保持することを特徴とする折り畳み式ドリンクホルダー構造。
【発明の詳細な説明】
【技術分野】
【０００１】
本発明は、ホルダープレートに形成された飲料容器挿入用の開口の下方に、搖動により折り畳み自在にアームを設け、このアームに取り付けられた底板により飲料容器の底面を保持する折り畳み式ドリンクホルダー構造に関する。
【背景技術】
【０００２】
従来、自動車等の車両には飲料容器を収容するドリンクホルダーが設けられ、飲料容器を挿入する開口が形成されたホルダープレートと、このホルダープレートの下面に前端が揺動自在に枢支されて折り畳み可能に取り付けられた一対のアームと、両アームの後端間に橋架され飲料容器をホルダープレートの開口に挿入したときに両アームの後端が下方に揺動することにより開口の下方に位置して飲料容器の底面に当接することにより飲料容器を下から保持する底板とを備えた折り畳み式ドリンクホルダー構造が提案されている（特許文献１参照）。ここで、前後、左右とはシートに着座した状態で見た前後、左右の意味である。
【先行技術文献】
【特許文献】
【０００３】
【特許文献１】特開２００７−１９１０５２号公報（段落００１２〜００１７および図２、図５参照）
【発明の概要】
【発明が解決しようとする課題】
【０００４】
しかし、上記した特許文献１に記載のドリンクホルダー構造の場合、底板の飲料容器の底面に当接する面積が小さいため、例えば１リットルの飲料を収容した断面四角形の紙パックのような大容量の飲料容器を保持できるような開口をホルダープレートに形成した場合、底板のサイズが小さすぎて飲料容器ががたつき、大容量の飲料容器を安定して保持することができないという問題がある。
【０００５】
一方、底板を大きくしすぎると、アームを搖動してアームの後端を上方に移動させ、ホルダープレートに底板を近接させてアームを折り畳んだ状態にするときに、アームを折り畳んだときに大型の底板がホルダープレートの下面から大きく突出して他の部材に干渉するおそれがある。
【０００６】
そのため、例えばドリンクホルダーをシートバックの折り畳みテーブルに設ける場合などに、テーブルがシートの背面に平行な収容状態になるようにテーブルを折り畳んで収容しようとしても、大きな底板が出っ張ってシートに干渉し、テーブルをシートの背面に正常に折り畳めなくなり、インストルメントパネルの開口部分に出没自在にドリンクホルダーを配置する場合には、ドリンクホルダー全体の上下幅をホルダープレートの上下幅程度に薄くコンパクトにして開口からの出没を可能にしたいにも拘らず、大型の底板がホルダープレートの下面から突出してインストルメントパネルの開口につかえてしまい、ドリンクホルダーをインストルメントパネル内部に押し込んで収容することができなくなるといった不都合が生じる。
【０００７】
本発明は、底板自体を大型にすることなく、大容量の大型の飲料容器を安定して保持でき、アームを搖動させて折り畳んだときに保持部材がつかえて邪魔になることがなくコンパクト化できるようにすることを目的とする。
【課題を解決するための手段】
【０００８】
上記した目的を達成するために、本発明の折り畳み式ドリンクホルダー構造は、飲料容器を挿入する開口が形成されたホルダープレートと、前記ホルダープレートの下面に前端が揺動自在に枢支されて折り畳み可能に取り付けられた一対のアームと、前記両アームの後端間に橋架され前記飲料容器を前記開口に挿入したときに前記両アームの後端が下方に揺動することにより前記開口の下方に位置して前記飲料容器の底面に当接し前記飲料容器を下から保持する底板と、前端部が可動し前記底板の上面側に配設された保持部材とを備え、前記両アームの後端が下方に揺動したときに、前記保持部材の前端部が下方に可動して前記保持部材の下面が前記底板の上面に当接し、前記開口に挿入された前記飲料容器の底面を前記底板のみで保持する場合よりも広い面積にわたって前記保持部材により保持することを特徴としている。
【０００９】
このとき、保持部材として、下面が底板の上面に当接可能に両アームそれぞれの後端に後端の左右が回転自在に枢支され底板よりも広い面積にわたって飲料容器の底面を保持するものであって、両アームの後端が下方に揺動したときに、保持部材の前端部が回転して保持部材の下面が底板の上面に当接し、開口に挿入された飲料容器の底面を前記保持部材により保持するものであることが望ましい。また、保持部材は、上方に向かう弾性力を有する前端部が底板よりも前方に延出した状態で底板の上面に後端が固定され底板に加えてより広い面積にわたって飲料容器の底面を保持する弾性素材から成るものであって、両アームの後端が下方に揺動した状態で、保持部材の前端部が開口に挿入された飲料部材の底面に当接することによって飲料容器の底面を底板とともに保持するものであってもよい。
【発明の効果】
【００１０】
本発明によれば、両アームの後端が下方に搖動した状態では、保持部材の前端部がホルダープレートから離間する方向である下方に可動し、保持部材の下面が底板の上面により過度に回転しないように規制されるため、保持部材によって底板のみで保持する場合よりも広い面積にわたって飲料容器の底面を保持できる使用状態となる。一方、保持部材の前端部がホルダープレートに接近する方向である上方に可動するため、両アームの後端が上方に搖動して両アームおよび底板がホルダープレートに平行な状態に搖動した状態であっても、保持部材の前端部が上方に自由に可動してホルダープレートの下方に突出することのない折り畳み状態に保持される。
【００１１】
したがって、底板は保持部材の可動範囲を規制できればよいことから、底板自体を大型にしなくても、大容量の大型の飲料容器を安定して保持することが可能になり、アームを搖動させて折り畳んだときに保持部材がつかえて邪魔になることがなくコンパクト化できる。
【図面の簡単な説明】
【００１２】
【図１】本発明に係る折り畳み式ドリンクホルダー構造をシートバックテーブルに適用した一実施形態の斜視図である。
【図２】図１のテーブル平面図である。
【図３】図１の一部の切断側面図である。
【図４】図１の異なる一部の切断側面図である。
【図５】図３の一部の斜視図である。
【図６】本発明の他の実施形態の斜視図である。
【図７】本発明の異なる他の実施形態の一部の斜視図である。
【図８】本発明のさらに異なる他の実施形態の一部の側面図である。
【発明を実施するための形態】
【００１３】
本発明に係る折り畳み式ドリンクホルダー構造をシートバックテーブルに設けた一実施形態について、図１ないし図５を参照して詳細に説明する。なお、本実施形態でいう前後、左右とはシートに着座した状態で見た前後、左右を意味する。
【００１４】
図１に示すように、自動車（車両）の運転席や助手席等の前部シートＳのシートバック（図示せず）に折り畳み可能なシートバックテーブル１が図中の矢印のように回動自在に設けられ、このテーブル１の２箇所に大きさの異なるほぼ正方形状の開口２ａ，２ｂが形成され、両開口２ａ，２ｂにドリンクホルダーが形成され、小さい方の開口２ａのドリンクホルダーには５００ミリリットル入りのペットボトルやアルミ缶、スチール缶、カップ等の小容量の飲料容器が挿入されて保持され、大きい方の開口２ｂのドリンクホルダーには１リットル入りの牛乳パックやジュースパック等の大容量の飲料容器が挿入されて保持されるようになっている。
【００１５】
テーブル１は、例えば前端部に設けられたヒンジ部１ａを回転中心として、シートバックの背面の所定位置に回動自在に取り付けられ、テーブル１を使用する場合には、テーブル１を図１中の１点鎖線に示す格納状態からほぼ水平状態に回動することで使用可能な状態に保持され、テーブル１を使用しないときには、テーブル１を図１中の実線に示す使用状態から１点鎖線のように回動することにより折り畳み状態に保持される。ここで、テーブル１をほぼ水平状態に回動したときにテーブル１を水平状態に保持するロック機構が設けられており、このロック機構のロックを解除することによって、テーブル１を折り畳み状態に回動することができる。
【００１６】
また、ドリンクホルダー２は図３、図４に示すように構成され、上記したテーブル１が本発明におけるホルダープレートの役割を果たし、上記したようにテーブル１に飲料容器を挿入するための開口２ａ，２ｂが形成され、テーブル１の下面であって両開口２ａ，２ｂの前寄りの位置には、一対のアーム３ａ，３ｂおよび一対のアーム４ａ，４ｂそれぞれの前端が揺動自在に枢支されて折り畳み可能に取り付けられている。
【００１７】
そして、一対のアーム３ａ，３ｂの後端間および一対のアーム４ａ，４ｂの後端間には底板５，６がそれぞれ橋架され、飲料容器を開口２ａ，２ｂそれぞれに挿入したときに、アーム３ａ，３ｂおよびアーム４ａ，４ｂの後端が下方に揺動し、これにより開口２ａ，２ｂの下方に底板５，６がそれぞれ位置して飲料容器の底面に当接し、飲料容器を下から保持するようになっている。
【００１８】
ところで、大きい方の開口２ｂ側の底板６には、図４、図５に示すように、底板６よりも大面積を有する板状の保持部材８が設けられ、保持部材８の後端の左右が両アーム４ａ，４ｂそれぞれの後端に回転自在に枢支され、保持部材８の下面が底板６の上面に当接可能に配設されている。
【００１９】
そして、大きい方の開口２ｂに１リットル入りのジュースパックなどの大容量の飲料容器を保持する場合、図４中の１点鎖線に示すように、両アーム４ａ，４ｂの後端が下方に揺動することにより、回転可能な保持部材８の下面が底板６の上面に当接して保持部材８の過度な回転が規制され、開口２ｂに挿入された飲料容器の底面が底板６よりも大面積の保持部材８により保持され、１リットル入りの大容量の飲料容器であっても安定して保持される。ここで、小さい方の開口２ａ側のドリンクホルダーに飲料容器を保持する場合も同様に、両アーム３ａ，３ｂの後端が下方に搖動して底板５により飲料容器の底面が保持される。
【００２０】
一方、ドリンクホルダーを折り畳み状態する場合には、図４中の実線に示すように、両アーム４ａ，４ｂの後端が上方に搖動し、この状態で保持部材８の前端は、図４中の矢印に示すように両アーム４ａ，４ｂに対して上方に自由に回転できるため、テーブル１をシートＳのシートバックに折り畳んでも保持部材８がつかえることがなく、テーブル１を正常に折り畳むことができる。なお、小さい方の開口２ａ側のドリンクホルダーも同様にして折り畳み状態になる。
【００２１】
したがって、上記した実施形態によれば、一対のアーム４ａ，４ｂの後端間に底板５，６を橋架し、大きい開口２ｂ側に、底板６よりも大面積の保持部材８の後端の左右を両アーム４ａ，４ｂそれぞれの後端に回転自在に枢支して、保持部材８の下面が底板６の上面に当接可能に配設したため、底板６は保持部材８の回転を規制する機能を果たせばよいことから、底板６自体を大型にする必要がなく、大容量の大型の飲料容器を大面積の保持部材８により安定して保持することが可能になり、アーム４ａ，４ｂを搖動させて折り畳んだときに保持部材８がシートバックにつかえることがなくコンパクト化でき、テーブル１の折り畳みに支障が生じるのを防止できる。
【００２２】
なお、本発明は上記した実施形態に限定されるものではなく、その趣旨を逸脱しない限りにおいて上述したもの以外に種々の変更を行なうことが可能である。
【００２３】
例えば、本発明の他の実施形態として、図６に示すようにインストルメントパネルＰの開口部分Ｋに前後方向に長尺のホルダープレート２０を出没自在に配設し、このホルダープレート２０の後端部に１リットル入りの飲料容器を挿入可能な四角形の開口２１を形成し、ホルダープレート２０の下面であって開口２１の前寄りの位置に、一対のアーム２２の前端が揺動自在に枢支して折り畳み可能に取り付け、両アーム２２の後端間に底板２３を橋架し、底板２３よりも大面積の保持部材２４の後端の左右を、両アーム２２それぞれの後端に回転自在に枢支して保持部材２４の下面が底板２３の上面に当接可能に配設してもよい。
【００２４】
この場合、両アーム２２や底板２３の幅をホルダープレート２０の上下幅以下に設定することにより、ホルダープレート２０をインストルメントパネルＰの開口部分Ｋの内部に押し込んで収容する場合に、保持部材２４の前端を持ち上げるように回転させることによって両アーム２２間に保持部材２４を下方に突出することなく収めることができ、インストルメントパネルＰの開口部分Ｋに保持部材２４が干渉することを防止して、ホルダープレート２０をインストルメントパネルＰの開口部分Ｋの内側に押し込んで収容することができる。
【００２５】
また、図１ないし図６に示す実施形態では、保持部材８，２４を底板６，２３よりも大面積の板状とした場合について説明したが、図７（ａ），（ｂ）に示すように、ワイヤＷの真ん中を前方にＵ字状に折り曲げ、左右の両端を両アーム４ａ，４ｂに回転自在に枢支してもよく、要するに保持部材は、底板６，２３よりも実質的に広い面積にわたって飲料容器の底面を保持できるものであればよい。
【００２６】
さらに、図８に示すように、ゴムなどの弾性素材から成るく字状の保持部材２６を設け、この保持部材２６の下面中央には下向き凹状のヒンジ部２６ａを形成し、下面後端には底板６の中央部の透孔６ａに挿通される係止頭付きの固定ピン２６ｂを一体形成し、上方に向かう弾性力を有する前端部が底板６，２３よりも前方に延出した状態で底板６，２３の上面に後端を固定しておき、両アーム４ａ，４ｂ、２２の後端が下方に揺動した状態で、開口２ｂ，２１に飲料部材を挿入したときに、飲料容器の底面が保持部材２６の前端部を下方に押すことで、保持座部位２６の前端部が図８中の矢印方向に可動して１点鎖線から実線の状態に変形し、飲料容器の底面を底板６，２３に加えて保持部材２６により保持するようにしてもよい。
【００２７】
また、図１、図２に示す小さい方の開口２ａ側にも、上記した保持部材を設けてもよい。
【符号の説明】
【００２８】
１      …テーブル（ホルダープレート）
２ｂ    …開口
４ａ，４ｂ  …アーム
６，２３  …底板
８，２４，２６  …保持部材
【図１】
2017105302.tif 000003
【図２】
2017105302.tif 000004
【図３】
2017105302.tif 000005
【図４】
2017105302.tif 000006
【図５】
2017105302.tif 000007
【図６】
2017105302.tif 000008
【図７】
2017105302.tif 000009
【図８】
2017105302.tif 000010